(57)【特許請求の範囲】
【請求項１】
ディスプレイ装置であって、
アレイ基板と、
対向基板と、
前記アレイ基板と前記対向基板との間に配設されるディスプレイ媒体と、
を有し、
前記アレイ基板は、
基板と、
前記基板上に配設される第一電極であって、前記第一電極は開口を有し、前記開口はゲートライン延伸方向に平行な辺縁を有する、第一電極と、
前記第一電極上に配設される第二電極と、
を有し、
前記第二電極は、
第一側と前記第一側に対向する第二側とを有する第一指状部であって、前記第一指状部の第一外縁が前記第一側において鋭角で前記ゲートライン延伸方向と交差し、前記第一指状部の第二外縁が前記第二側において鈍角で前記ゲートライン延伸方向と交差する、第一指状部と、
前記辺縁において前記第一指状部を接続する接続部であって、前記接続部は前記辺縁に隣接して前記ゲートライン延伸方向に沿って第一幅を有し、前記接続部は前記辺縁から離れて前記ゲートライン延伸方向に沿って第二幅を有し、前記第一幅は前記第二幅より小さい、接続部と、
を有し、
前記接続部は、前記第一側における第一凹面と前記第二側における第二凹面とを有し、前記第一凹面の長さが第二凹面の長さより長い、
ディスプレイ装置。
【請求項２】
前記第一凹面は、前記辺縁から離れた第一端点を有し、前記第二凹面は、前記辺縁から離れた第二端点を有し、前記第一端点と前記辺縁との間の距離は、前記ゲートライン延伸方向に垂直な方向に沿って、前記第二端点と前記辺縁との間の距離より大きい、請求項１に記載のディスプレイ装置。
【請求項３】
前記接続部は、前記第一側において前記第一凹面を接続する第一マージンと、前記第二側において前記第二凹面を接続する第二マージンとを有し、前記ゲートライン延伸方向に対して、前記第一マージンの絶対的勾配値は、前記第二マージンの絶対的勾配値と異なる、請求項１に記載のディスプレイ装置。
【請求項４】
前記開口は、前記第一側における第一側辺縁と前記第二側における第二側辺縁とを有し、前記接続部は、前記第一側辺縁の外側の第一領域と前記第二側辺縁の外側の第二領域とを有し、前記第一領域は、前記第二領域より小さい面積を有する、請求項１に記載のディスプレイ装置。
【請求項５】
ディスプレイ装置であって、
アレイ基板と、
対向基板と、
前記アレイ基板と前記対向基板との間に配設されるディスプレイ媒体と、
を有し、
前記アレイ基板は、
基板と、
前記基板上に配設される第一電極であって、前記第一電極は開口を有し、前記開口はゲートライン延伸方向に平行な辺縁を有する、第一電極と、
前記第一電極上に配設される第二電極と、
を有し、
前記第二電極は、
第一側と前記第一側に対向する第二側とを有する第一指状部であって、前記第一指状部の第一外縁が前記第一側において鋭角で前記ゲートライン延伸方向と交差し、前記第一指状部の第二外縁が前記第二側において鈍角で前記ゲートライン延伸方向と交差する、第一指状部と、
前記辺縁において前記第一指状部を接続する接続部であって、前記接続部は前記辺縁に隣接して前記ゲートライン延伸方向に沿って第一幅を有し、前記接続部は前記辺縁から離れて前記ゲートライン延伸方向に沿って第二幅を有し、前記第一幅は前記第二幅より小さい、接続部と、
を有し、
前記接続部は、前記第一側における第一変曲点と前記第二側における第二変曲点とを有し、前記第一変曲点と前記辺縁との間の距離が、前記ゲートライン延伸方向に垂直な方向に沿って、前記第二変曲点と前記辺縁との間の距離より大きい、
ディスプレイ装置。
【請求項６】
前記接続部は、前記第一側における第一凹面と前記第二側における第二凹面とを有し、前記第一凹面は、前記辺縁から離れた第一端点を有し、前記第二凹面は、前記辺縁から離れた第二端点を有し、前記第一端点と前記辺縁との間の距離は、前記ゲートライン延伸方向に垂直な前記方向に沿って、前記第二端点と前記辺縁との間の距離より大きい、請求項５に記載のディスプレイ装置。
【請求項７】
前記接続部は、前記第一側において前記第一凹面を接続する第一マージンと、前記第二側において前記第二凹面を接続する第二マージンとを有し、前記ゲートライン延伸方向に対して、前記第一マージンの絶対的勾配値は、前記第二マージンの絶対的勾配値と異なる、請求項６に記載のディスプレイ装置。
【請求項８】
前記開口は、前記第一側における第一側辺縁と前記第二側における第二側辺縁とを有し、前記接続部は、前記第一側辺縁の外側の第一領域と前記第二側辺縁の外側の第二領域とを有し、前記第一領域は、前記第二領域より小さい面積を有する、請求項５に記載のディスプレイ装置。
【請求項９】
ディスプレイ装置であって、
アレイ基板と、
対向基板と、
前記アレイ基板と前記対向基板との間に配設されるディスプレイ媒体と、
を有し、
前記アレイ基板は、
基板と、
前記基板上に配設される第一電極であって、前記第一電極は開口を有し、前記開口はゲートライン延伸方向に平行な辺縁を有する、第一電極と、
前記第一電極上に配設される第二電極と、
を有し、
前記第二電極は、
第一側と前記第一側に対向する第二側とを有する第一指状部であって、前記第一指状部の第一外縁が前記第一側において鋭角で前記ゲートライン延伸方向と交差し、前記第一指状部の第二外縁が前記第二側において鈍角で前記ゲートライン延伸方向と交差する、第一指状部と、
前記辺縁において前記第一指状部を接続する接続部であって、前記接続部は前記辺縁に隣接して前記ゲートライン延伸方向に沿って第一幅を有し、前記接続部は前記辺縁から離れて前記ゲートライン延伸方向に沿って第二幅を有し、前記第一幅は前記第二幅より小さい、接続部と、
を有し、
前記接続部は、前記第一側における第一凹面と前記第二側における第二凹面とを有し、前記第一凹面の最も窪んだ点と前記辺縁との間の距離は、前記ゲートライン延伸方向に垂直な方向に沿って、前記第二凹面の最も窪んだ点と前記辺縁との間の距離より大きい、
ディスプレイ装置。
【請求項１０】
前記第一凹面は、前記辺縁から離れた第一端点を有し、前記第二凹面は、前記辺縁から離れた第二端点を有し、前記第一端点と前記辺縁との間の距離は、前記ゲートライン延伸方向に垂直な前記方向に沿って、前記第二端点と前記辺縁との間の距離より大きい、請求項９に記載のディスプレイ装置。
【請求項１１】
前記接続部は、前記第一側において前記第一凹面を接続する第一マージンと、前記第二側において前記第二凹面を接続する第二マージンとを有し、前記ゲートライン延伸方向に対して、前記第一マージンの絶対的勾配値は、前記第二マージンの絶対的勾配値と異なる、請求項９に記載のディスプレイ装置。
【請求項１２】
前記第一マージンの前記絶対的勾配値は、前記第二マージンの前記絶対的勾配値より小さい、請求項１１に記載のディスプレイ装置。
【請求項１３】
前記第一マージンは、前記第二マージンより短い長さを有する、請求項１１に記載のディスプレイ装置。
【請求項１４】
前記第一マージンと前記ゲートライン延伸方向との間の角は９０度でなく、前記第二マージンと前記ゲートライン延伸方向との間の角は９０度でない、請求項１１に記載のディスプレイ装置。
【請求項１５】
前記第二電極は、さらに、
前記第一指状部に実質的に平行な第二指状部と、
前記第一指状部と前記第二指状部との間に配設される傾斜スリットと、
を有する、請求項９に記載のディスプレイ装置。
【請求項１６】
前記開口は、前記第一側における第一側辺縁と前記第二側における第二側辺縁とを有し、前記接続部は、前記第一側辺縁の外側の第一領域と前記第二側辺縁の外側の第二領域とを有し、前記第一領域は、前記第二領域より小さい面積を有する、請求項９に記載のディスプレイ装置。
【請求項１７】
前記接続部は、前記辺縁に隣接する上部分と前記辺縁から離れた下部分とをさらに有し、前記上部分は、前記ゲートライン延伸方向に沿った前記第一幅を有し、前記下部分は、前記ゲートライン延伸方向に沿った前記第二幅を有する、請求項９に記載のディスプレイ装置。
【請求項１８】
前記接続部の前記第一凹面と前記第二凹面とは、共に、前記接続部の前記上部分に配設される、請求項１７に記載のディスプレイ装置。
【請求項１９】
前記接続部の前記第一凹面と前記第二凹面とは、前記接続部の前記下部分に配設されない、請求項１７に記載のディスプレイ装置。
【発明の詳細な説明】
【技術分野】
【０００１】
本発明は、アレイ基板を有するディスプレイ装置に関するものであって、特に、凹面がある電極を有するディスプレイ装置に関するものである。
【背景技術】
【０００２】
ディスプレイ装置は、近年、幅広く、各種製品のディスプレイ要素中に用いられている。液晶分子は、異なるアラインメント設定で、異なる光偏光(light  polarization)、または、光屈折効果を有し、液晶ディスプレイ装置はこの特性を利用して、光浸透性を制御し、イメージを生成する。条件付きねじれネマティック液晶ディスプレイ装置は、良好な光浸透性特性を有する。しかし、それらは、液晶分子の構造と光学特性のため、十分な視野角を提供することができない。
【０００３】
この問題を解決するため、広角と高開口率の各種液晶ディスプレイ装置、たとえば、面内切替液晶ディスプレイ装置(in-plane  switching  liquid-crystal  display  device)、または、フリンジフィールドスイッチング液晶ディスプレイ装置(fringe-field  switching  liquid-crystal  display  device)などが開発されている。しかし、上述の液晶ディスプレイ装置中、いくつかの液晶分子は、大部分の液晶分子と異なるアラインメント方向を有し、イメージ表示時、液晶効率とディスプレイパネルの輝度を低下させる。このほか、異なるアラインメント方向を有するいくつかの液晶分子は、ディスプレイスクリーン上で暗い線を発生する。あるいは、ディスプレイスクリーンが外力、たとえば、指の接触を受けるとき、異なるアラインメント方向を有するいくつかの液晶分子は、ディスプレイスクリーン上で、不必要な明るい線を生成し、ディスプレイの品質を損なう。
【０００４】
よって、異なるアラインメント方向の液晶分子の量をさらに減少させることができるディスプレイ装置が必要である。
【発明の概要】
【０００５】
本発明は、アレイ基板と、対向基板と、アレイ基板と対向基板との間に配設されるディスプレイ媒体と、を有するディスプレイ装置を提供し、アレイ基板は、基板と、基板上に配設される第一電極であって、第一電極は開口を有し、開口はゲートライン延伸方向に平行な辺縁を有する、第一電極と、第一電極上に配設される第二電極と、を有し、第二電極は、第一側と第一側に対向する第二側とを有する第一指状部であって、第一指状部の第一外縁が第一側において鋭角でゲートライン延伸方向と交差し、第一指状部の第二外縁が第二側において鈍角でゲートライン延伸方向と交差する、第一指状部と、辺縁において第一指状部を接続する接続部であって、接続部は辺縁に隣接してゲートライン延伸方向に沿って第一幅を有し、接続部は辺縁から離れてゲートライン延伸方向に沿って第二幅を有し、第一幅は第二幅より小さい、接続部と、を有し、接続部は、第一側における第一凹面と第二側における第二凹面とを有し、第一凹面の長さが第二凹面の長さより長い。
【０００６】
本発明は、さらに、アレイ基板と、対向基板と、アレイ基板と対向基板との間に配設されるディスプレイ媒体と、を有するディスプレイ装置を提供し、アレイ基板は、基板と、基板上に配設される第一電極であって、第一電極は開口を有し、開口はゲートライン延伸方向に平行な辺縁を有する、第一電極と、第一電極上に配設される第二電極と、を有し、第二電極は、第一側と第一側に対向する第二側とを有する第一指状部であって、第一指状部の第一外縁が第一側において鋭角でゲートライン延伸方向と交差し、第一指状部の第二外縁が、第二側において鈍角でゲートライン延伸方向と交差する、第一指状部と、辺縁において第一指状部を接続する接続部であって、接続部は辺縁に隣接してゲートライン延伸方向に沿って第一幅を有し、接続部は辺縁から離れてゲートライン延伸方向に沿って第二幅を有し、第一幅は第二幅より小さい、接続部と、を有し、接続部は、第一側における第一変曲点と第二側における第二変曲点とを有し、第一変曲点と辺縁との間の距離が、ゲートライン延伸方向に垂直な方向に沿って、第二変曲点と辺縁との間の距離より大きい。
【０００７】
本発明は、さらに、アレイ基板と、対向基板と、アレイ基板と対向基板との間に配設されるディスプレイ媒体と、を有するディスプレイ装置を提供し、アレイ基板は、基板と、基板上に配設される第一電極であって、第一電極は開口を有し、開口はゲートライン延伸方向に平行な辺縁を有する、第一電極と、第一電極上に配設される第二電極と、を有し、第二電極は、第一側と第一側に対向する第二側とを有する第一指状部であって、第一指状部の第一外縁が第一側において鋭角でゲートライン延伸方向と交差し、第一指状部の第二外縁が第二側において鈍角でゲートライン延伸方向と交差する、第一指状部と、辺縁において第一指状部を接続する接続部であって、接続部は辺縁に隣接してゲートライン延伸方向に沿って第一幅を有し、接続部は辺縁から離れてゲートライン延伸方向に沿って第二幅を有し、第一幅は第二幅より小さい、接続部と、を有し、接続部は、第一側における第一凹面と第二側における第二凹面とを有し、第一凹面の最も窪んだ点と辺縁との間の距離が、ゲートライン延伸方向に垂直な方向に沿って、第二凹面の最も窪んだ点と辺縁との間の距離より大きい。
【０００８】
詳細な説明が、添付図面を参照して下記の実施態様において与えられる。
【図面の簡単な説明】
【０００９】
本発明は、添付図面を参照しながら以降の詳細な説明および例を読むことによって、より十分に理解されるであろう。
【図１Ａ】本発明のいくつかの実施態様によるアレイ基板の上面図である。
【図１Ｂ】本発明のいくつかの実施態様による図１Ａの線１Ｂ-１Ｂに沿ったアレイ基板の断面図である。
【図２】図１Ａのアレイ基板の部分拡大図である。
【図３Ａ】図２のアレイ基板の部分拡大図である。
【図３Ｂ】図２のアレイ基板の部分拡大図である。
【図３Ｃ】図２のアレイ基板の部分拡大図である。
【図３Ｄ】図２のアレイ基板の部分拡大図である。
【図４】本発明の別の実施態様によるアレイ基板の上面図と部分拡大図である。
【図５】本発明のいくつかの実施態様によるディスプレイ装置の断面図である。
【発明を実施するための形態】
【００１０】
本発明のディスプレイ装置が、以下で詳細に説明される。以下の詳細な説明において、本発明を十分に理解するために、説明目的のための多数の特定の詳細と実施態様が明記されている。以下の詳細な説明において説明される特定の要素と配置は、本発明をわかりやすく説明するために明記されている。しかし、本明細書に明記される例示的な実施態様の説明は、単に説明の目的で使用されることが明らかであり、本発明の概念は、こうした実施態様に限定されることなく各種形式で具現化されてよい。このほか、異なる実施態様の図面は、同様の、および／または、対応する符号を用いて、同様の、および／または、対応する要素を示して、本発明をわかりやすく説明している。しかし、異なる実施態様の図面における同様の、および／または、対応する符号の使用は、異なる実施態様間の相互関係を提案するものではない。このほか、この明細書において、"第二材料層に/第二材料層上に配設される（disposed）第一絶縁バンプ"等の表現は、第一絶縁バンプと第二材料層が直接接触することを示すことがあり、または、第一絶縁バンプと第二材料層との間にひとつ以上の中間層がある非接触状態を示すことがある。上述の状況において、第一絶縁バンプは、第二材料層と直接接触しないことがある。
【００１１】
注意すべきことは、本発明の図面中の要素や装置は、当業者に知られる各種形式や設定で存在し得ることである。このほか、"ある層が別の層の上にある"、"ある層が別の層の上に配設される"、"ある層が別の層に配設される"、および、"ある層が別の層上に配設される"という表現は、その層が、直接、別の層と接触すること、または、その層が別の層と直接接触せず、その層と別の層との間に配設されたひとつ以上の中間層があることを意味する。
【００１２】
このほか、この明細書中、相対表現が用いられる。たとえば、“低い”、“底部”、“高い”または“上部”が用いられて、ある要素の別の要素に対する位置を描写する。注意すべきことは、装置を上下逆さまにする場合、“低い”要素は、“高い”要素になることである。
【００１３】
ここで、“約”と“実質的に”は、通常、規定値の+/-20%、さらに一般的には、規定値の+/-10%、さらに一般的には、規定値の+/-5%、さらに一般的には、規定値の+/-3%、さらに一般的には、規定値の+/-2%、さらに一般的には、規定値の+/-1%、よりさらに一般的には、規定値の+/-0.5%である。本発明の規定値は概略値である。特定の説明がないとき、規定値は、“約”または“実質的に”の意味を含む。
【００１４】
第一、第二、第三等の用語が用いられて、各種の要素、コンポーネント、領域、層、および/または、セクションを説明しているが、これらの要素、コンポーネント、領域、層、および/または、セクションは、上記の用語により限定されないことが理解されるべきである。上記の用語は、ある要素、コンポーネント、領域、層、または、セクションを、別の領域、層、または、セクションから識別するためだけに用いられる。よって、以下で論じられる第一の要素、コンポーネント、領域、層、または、セクションは、本発明の教示を逸脱しない範囲で、第二の要素、コンポーネント、領域、層、または、セクションと称されることがある。
【００１５】
別段定義されない限り、本明細書で用いられる全ての技術用語および科学用語は、本発明の属する分野における当業者により普通に理解されるのと同じ意義を有する。いずれの場合にも、一般の辞書で定義される用語は、本発明の関連技術と背景や文脈とに適合する意義を有すると解釈されるべきであって、理想的な、または、非常に形式的な方法で定義されない限り、そのような方法で解釈されるべきではない。
【００１６】
本発明の実施態様は、特定側で、画素電極の凹面(concavity)を拡大して、大部分の液晶分子と異なるアラインメント方向を有する液晶分子の量を減少させ、液晶効率を向上させ、明るい線と暗い線を減少させる。
【００１７】
図１Ａと図１Ｂを参照する。図１Ａは、本発明のいくつかの実施態様によるアレイ基板１００の上面図であり、図１Ｂは、図１Ａの線１Ｂ-１Ｂに沿ったアレイ基板１００の断面図である。アレイ基板１００は、トランジスタアレイを有するトランジスタ基板であってよく、たとえば、薄膜トランジスタ基板である。このほか、図１Ａに示されるように、アレイ基板１００は、複数のサブピクセル１０２を有し、図１Ｂに示されるように、アレイ基板１００は、基板１０４、基板１０４上に配設される第一電極１０６、および、第一電極１０６上に配設される第二電極１０８、を有する。注意すべきことは、図１Ｂに示されるように、第一電極１０６と第二電極１０８は、異なる平面に配設されることである。よって、図１Ａに示される第一電極１０６と第二電極１０８は、これら二つの電極の、同一平面への投影である。
【００１８】
特に、基板１０４は、これに限定されないが、透明基板、たとえば、ガラス基板、セラミック基板、プラスチック基板、または、その他の適当な透明基板を含んでよい。このほか、基板１０４は、さらに、データライン１１０、ゲートライン１１２(図１Ａで示されるが、図１Ｂでは図示されない)、および、上述のトランジスタ(図示しない)を含んでもよい。データライン１１０は、ソース信号をサブピクセル１０２に提供することができ、ゲートライン１１２は、スキャニングパルス信号(scanning  pulse  signal)をサブピクセル１０２に提供すると共に、上述のソース信号と連携してサブピクセル１０２を制御することができる。このほか、ゲートライン１１２は、方向Ａ１に延伸し、方向Ａ２は、ゲートライン延伸方向Ａ１に、ほぼ、垂直、または、直交する方向である。
【００１９】
このほか、第一電極１０６と第二電極１０８は、独立して、これに限定されないが、透明導電材料、たとえば、インジウムスズ酸化物(ＩＴＯ)、酸化スズ(ＴＯ)、インジウム亜鉛酸化物(ＩＺＯ)、インジウムガリウム亜鉛酸化物(ＩＧＺＯ)、インジウムスズ亜鉛酸化物(ＩＴＺＯ)、アンチモンスズ酸化物(ＡＴＯ)、アンチモン亜鉛酸化物(ＡＺＯ)、これらの組み合わせ、または、その他の適当な透明導電酸化物材料を含んでもよい。図１Ｂに示される実施態様において、第一電極１０６はコモン電極であり、第二電極１０８は画素電極である。このほか、コモン電極の機能を果たす第一電極１０６は、サブピクセル１０２の領域全体に配設される。第一電極１０６は開口１２０を有する。絶縁層１１４が、第一電極１０６と第二電極１０８との間に配設され、第一電極１０６の開口１２０を充填する。絶縁層１１４の材料は、これに限定されないが、酸化ケイ素、窒化ケイ素、酸窒化ケイ素、これらの組み合わせ、または、その他の適当な材料を含んでよい。
【００２０】
このほか、スルーホールＶが、開口１２０に対応する絶縁層１１４の領域中に配設される。画素電極の機能を果たす第二電極１０８は、スルーホールＶにより、基板１０４中で、データライン１１０(図示しない)に電気的に接続される。つまり、図１Ａの上面図に示されるように、スルーホールＶは、開口１２０中に配設される。このほか、絶縁層１１４は、第二電極１０８から、第一電極１０６を電気的に絶縁することができ、よって、第一電極１０６と第二電極１０８との間に、電気容量を形成することができる。
【００２１】
図２は、図１Ａのアレイ基板１００のうち、画素電極の機能を果たす第二電極１０８の１つの部分拡大図である。図２に示されるように、画素電極の機能を果たす第二電極１０８は、第一指状部１１６と接続部１１８を有する。このほか、開口１２０が、ゲートライン延伸方向Ａ１に平行な辺縁１２０Ｓを有する。特に、辺縁１２０Ｓは、ゲートライン延伸方向Ａ１に平行で、且つ、第一指状部１１６に近接する、開口１２０の辺縁である。すなわち、辺縁１２０Ｓは、参照記号１２０Ｓにより示される太線である。このほか、第一指状部１１６と接続部１１８は、辺縁１２０Ｓで実質的に互いに接続されてもよい。このほか、延伸線１２０Ｅは、ゲートライン延伸方向Ａ１に平行で、且つ、辺縁１２０Ｓと実質的に重なる線である。
【００２２】
図２に示されるように、第一指状部１１６は、第一側Ｓ１、および、第一側Ｓ１に対向する第二側Ｓ２を有し、第一指状部１１６の第一外縁１１６Ｅ１は、第一側Ｓ１で、鋭角θ1で、ゲートライン延伸方向Ａ１(たとえば、延伸線１２０Ｅの方向)と交差し、第一指状部１１６の第二外縁１１６Ｅ２は、第二側Ｓ２で、鈍角θ2で、ゲートライン延伸方向Ａ１(たとえば、延伸線１２０Ｅの方向)と交差する。つまり、第一側Ｓ１は、第一指状部１１６の第一外縁１１６Ｅ１が、第一指状部１１６と接続部１１８との接続部で、鋭角θ1で、ゲートライン延伸方向Ａ１(たとえば、延伸線１２０Ｅの方向)と交差する側である。第二側Ｓ２は、第一指状部１１６の第二外縁１１６Ｅ２が、第一指状部１１６と接続部１１８との接続部で、鈍角θ2で、ゲートライン延伸方向Ａ１(たとえば、延伸線１２０Ｅの方向)と交差する側である。
【００２３】
図３Ａは、図２の接続部１１８と第一指状部１１６の部分との拡大図である。すなわち、図３Ａは、図２中の領域３００の拡大図である。図３Ａに示されるように、接続部１１８は、辺縁１２０Ｓに隣接してゲートライン延伸方向Ａ１に沿って、第一幅Ｗ１を有し、接続部１１８は、辺縁１２０Ｓから離れてゲートライン延伸方向Ａ１に沿って、第二幅Ｗ２を有する。このほか、第一幅Ｗ１は、第二幅Ｗ２より小さい。
【００２４】
特に、接続部１１８は、辺縁１２０Ｓに隣接する上部分１２６Ｔ、および、辺縁１２０Ｓから離れた下部分１２６Ｂを有する。上部分１２６Ｔは、ゲートライン延伸方向Ａ１に沿って、第一幅Ｗ１を有し、下部分１２６Ｂは、ゲートライン延伸方向Ａ１に沿って、第二幅Ｗ２を有する。
【００２５】
接続部１１８の上部分１２６Ｔと下部分１２６Ｂとは、以下のように定義される。接続部１１８は、第一側Ｓ１で第一凹面１２２Ａを、および、第二側Ｓ２で第二凹面１２２Ｂを有する。第一凹面１２２Ａは、辺縁１２０Ｓから離れた第一端点１２４Ａを有し、第二凹面１２２Ｂも、辺縁１２０Ｓから離れた第二端点１２４Ｂを有する。第一端点１２４Ａと第二端点１２４Ｂとから選ばれ、且つ、辺縁１２０Ｓからより離れている端点について、ゲートライン延伸方向Ａ１に沿って、延伸線が形成される。たとえば、図３Ａ中、辺縁１２０Ｓからより離れている第一端点１２４Ａについて、延伸線１２４ＡＥが形成され、延伸線１２４ＡＥは、ゲートライン延伸方向Ａ１に平行であり、第一端点１２４Ａを通過する。この延伸線(たとえば、延伸線１２４ＡＥ)は、接続部１１８を二つの部分に分ける。辺縁１２０Ｓに近接する部分は上部分１２６Ｔであり、辺縁１２０Ｓからより離れた部分は下部分１２６Ｂである。
【００２６】
このほか、第一幅Ｗ１は、上部分１２６Ｔの、ゲートライン延伸方向Ａ１に沿った、第一凹面１２２Ａと第二凹面１２２Ｂとの間の幅であり、第二幅Ｗ２は、下部分１２６Ｂの、ゲートライン延伸方向Ａ１に沿った、対向する側部間の幅である。
【００２７】
このほか、接続部１１８の第一凹面１２２Ａと第二凹面１２２Ｂとは、接続部１１８の上部分１２６Ｔだけに配設され、接続部１１８の下部分１２６Ｂには配設されない。
【００２８】
図３Ａをさらに参照すると、本発明の接続部１１８において、第一凹面１２２Ａの長さＬ１(すなわち、図３Ａ中の参照記号Ｌ１で示される太線の長さ)は、第二凹面１２２Ｂの長さＬ２(すなわち、図３Ａ中の参照記号Ｌ２で示される太線の長さ)より長い。この特徴は、大部分の液晶分子と異なるアラインメント方向を有する液晶分子の量を減少させて、液晶効率を向上させると共に、ディスプレイ品質を低下させる輝度の不均一性を減少させることができる。
【００２９】
特に、本発明は、第一側Ｓ１を、第一指状部１１６の第一外縁１１６Ｅ１が、第一指状部１１６と接続部１１８との接続部分で、鋭角θ1で、ゲートライン延伸方向Ａ１と交差する側として定義する。発明者は、第一側Ｓ１の接続部１１８の部分が、第一側Ｓ１の液晶分子の部分に、大部分の液晶分子と異なるアラインメント方向を有させることになり、このことが、ディスプレイ品質の輝度の不均一性を生じさせ、液晶効率を低下させることを発見した。本発明において、第一凹面１２２Ａの長さＬ１は、第二凹面１２２Ｂの長さＬ２より長いので、接続部１１８の第一側Ｓ１の部分の面積は、実質的に減少する可能性がある。よって、第一側Ｓ１で、大部分の液晶分子と異なるアラインメント方向を有する液晶分子の量が減少して、液晶効率と、イメージ表示時のディスプレイパネルの輝度とを向上させることができる。このほか、輝度の不均一性が低減されて、ディスプレイ品質を改善することができる。たとえば、一実施態様において、第一側Ｓ１で、第一凹面１２２Ａに対応する領域中の液晶分子の液晶効率は、約20%から23%増加し得る。
【００３０】
このほか、本発明の接続部１１８において、第一凹面１２２Ａの第一端点１２４Ａと辺縁１２０Ｓとの間の距離Ｄ１は、第二凹面１２２Ｂの第二端点１２４Ｂと辺縁１２０Ｓとの間の距離Ｄ２より大きい。
【００３１】
特に、図３Ａにおいて、延伸線１２４ＡＥは、ゲートライン延伸方向Ａ１に平行で、且つ、第一端点１２４Ａを通過する線である。第一端点１２４Ａと辺縁１２０Ｓとの間の距離Ｄ１は、ゲートライン延伸方向Ａ１に垂直な方向Ａ２に沿った、延伸線１２４ＡＥと延伸線１２０Ｅとの間の距離である。同様に、延伸線１２４ＢＥは、ゲートライン延伸方向Ａ１に平行で、且つ、第二端点１２４Ｂを通過する線である。第二端点１２４Ｂと辺縁１２０Ｓと間の距離Ｄ２は、ゲートライン延伸方向Ａ１に垂直な方向Ａ２に沿った、延伸線１２４ＢＥと延伸線１２０Ｅとの間の距離である。
【００３２】
図３Ａに示されるように、距離Ｄ１が距離Ｄ２より大きいのは、接続部１１８の第一側Ｓ１の部分の面積が、接続部１１８の第二側Ｓ２の部分の面積より小さいことを意味する。よって、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００３３】
図３Ｂは、図３Ａと同じ接続部１１８および同じ第一指状部１１６の部分を示す図である。接続部１１８と第一指状部１１６の部分とを図３Ｂ中で再現して、本発明の技術的特徴をさらに詳しく説明する。図３Ｂに示されるように、接続部１１８は、第一側Ｓ１で、第一変曲点１３４Ａを有し、第二側Ｓ２で、第二変曲点１３４Ｂを有する。第一変曲点１３４Ａと辺縁１２０Ｓとの間の距離Ｄ３は、ゲートライン延伸方向Ａ１に垂直な方向Ａ２に沿って、第二変曲点１３４Ｂと辺縁１２０Ｓとの間の距離Ｄ４より大きい。この特徴は、大部分の液晶分子と異なるアラインメント方向を有する液晶分子の量をさらに減少させて、液晶効率を向上させると共に、ディスプレイ品質を低下させる輝度の不均一性を減少させることができる。
【００３４】
特に、変曲点は、曲線の凹側に位置する曲率の中心が曲線の片側から反対側に変わる点である。接続部１１８の第一側Ｓ１の側を例とすると、たとえば、この側の、辺縁１２０Ｓにより近い部分は、接続部１１８の外側Ｓ３への外向きの凹面を有する第一線分１２８Ａ(すなわち、図３Ｂの参照記号１２８Ａにより示される太線)を有する。この側の、辺縁１２０Ｓからより離れている部分は、接続部１１８の内側Ｓ４への内向きの凹面を有する第二線分１２８Ｂ(すなわち、図３Ｂ中の参照記号１２８Ｂにより示される太線)を有する。第一線分１２８Ａと第二線分１２８Ｂは、線分１２８を構成する。内側Ｓ４は外側Ｓ３に対向する。つまり、内側Ｓ４と外側Ｓ３とは、線分１２８について、対向する側にある。このほか、曲率の中心は、曲線上の点に接し、且つ、この点と同じ曲率半径を有する円の中心である。つまり、曲率の中心は、曲線上のある点から凹面を向いてその点の曲率半径の距離まで、その点の接線方向に垂直な方向に沿って延伸することにより導出される点である。
【００３５】
図３Ｂに示されるように、第一線分１２８Ａと第二線分１２８Ｂは、どちらも曲線である。第一線分１２８Ａ上の任意の点の曲率の中心(たとえば、曲率の中心１３０)は、第一線分１２８Ａまたは線分１２８の外側Ｓ３に位置し、第二線分１２８Ｂ上の任意の点の曲率の中心(たとえば、曲率の中心１３２)は、第二線分１２８Ｂまたは線分１２８の内側Ｓ４に位置する。接続部１１８のうち線分１２８を含む側の曲率の中心が外側Ｓ３から内側Ｓ４に変わる点が、この側の第一変曲点１３４Ａである。このほか、第一変曲点１３４Ａは、第一線分１２８Ａと第二線分１２８Ｂとの接続点でもある。同様に、第二側Ｓ２の接続部１１８の第二変曲点１３４Ｂが、同じ方法により定義される。
【００３６】
このほか、延伸線１３４ＡＥは、ゲートライン延伸方向Ａ１に平行で、且つ、第一変曲点１３４Ａを通過する線である。第一変曲点１３４Ａと辺縁１２０Ｓとの間の距離Ｄ３は、ゲートライン延伸方向Ａ１に垂直な方向Ａ２に沿った、延伸線１３４ＡＥと延伸線１２０Ｅとの間の距離である。同様に、延伸線１３４ＢＥは、ゲートライン延伸方向Ａ１に平行で、且つ、第二変曲点１３４Ｂを通過する線である。第二変曲点１３４Ｂと辺縁１２０Ｓとの間の距離Ｄ４は、ゲートライン延伸方向Ａ１に垂直な方向Ａ２に沿った、延伸線１３４ＢＥと延伸線１２０Ｅとの間の距離である。
【００３７】
図３Ｂに示されるように、接続部１１８の第一変曲点１３４Ａと辺縁１２０Ｓとの間の距離Ｄ３が、第二変曲点１３４Ｂと辺縁１２０Ｓとの間の距離Ｄ４より大きいというのは、接続部１１８の第一側Ｓ１の部分の面積が、接続部１１８の第二側Ｓ２の部分の面積より小さいことを意味する。よって、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００３８】
図３Ｃは、図３Ａおよび図３Ｂと同じ接続部１１８および同じ第一指状部１１６の部分を示す図である。接続部１１８と第一指状部１１６の部分とを図３Ｃ中で再現して、本発明の技術的特徴をさらに詳しく説明する。図３Ｃに示されるように、接続部１１８の第一凹面１２２Ａの最も窪んだ点１３６Ａと辺縁１２０Ｓとの間の距離Ｄ５は、ゲートライン延伸方向Ａ１に垂直な方向Ａ２に沿って、第二凹面１２２Ｂの最も窪んだ点１３６Ｂと辺縁１２０Ｓとの間の距離Ｄ６より大きい。この特徴は、大部分の液晶分子と異なるアラインメント方向を有する液晶分子の量をさらに減少させて、液晶効率を向上させると共に、ディスプレイ品質の輝度の不均一性を減少させることができる。
【００３９】
特に、線分１３８Ａは、第一凹面１２２Ａにおいて辺縁１２０Ｓから離れている第一端点１２４Ａと辺縁１２０Ｓに隣接する上端点１３９Ａとの間の線である。第一凹面１２２Ａの最も窪んだ点１３６Ａは、線分１３８Ａに垂直な方向に沿って線分１３８Ａから最大の距離にある、第一凹面１２２Ａ上の点である。同様に、線分１３８Ｂは、第二凹面１２２Ｂにおいて辺縁１２０Ｓから離れている第二端点１２４Ｂと辺縁１２０Ｓに隣接する上端点１３９Ｂとの間の線である。第二凹面１２２Ｂの最も窪んだ点１３６Ｂは、線分１３８Ｂに垂直な方向に沿って線分１３８Ｂに対して最大距離を有する、第二凹面１２２Ｂ上の点である。
【００４０】
このほか、延伸線１３６ＡＥは、ゲートライン延伸方向Ａ１に平行で、且つ、第一凹面１２２Ａの最も窪んだ点１３６Ａを通過する線である。第一凹面１２２Ａの最も窪んだ点１３６Ａと辺縁１２０Ｓとの間の距離Ｄ５は、ゲートライン延伸方向Ａ１に垂直な方向Ａ２に沿った、延伸線１３６ＡＥと延伸線１２０Ｅとの間の距離である。同様に、延伸線１３６ＢＥは、ゲートライン延伸方向Ａ１に平行で、且つ、第二凹面１２２Ｂの最も窪んだ点１３６Ｂを通過する線である。第二凹面１２２Ｂの最も窪んだ点１３６Ｂと辺縁１２０Ｓとの間の距離Ｄ６は、ゲートライン延伸方向Ａ１に垂直な方向Ａ２に沿った、延伸線１３６ＢＥと延伸線１２０Ｅとの間の距離である。
【００４１】
図３Ｃに示されるように、接続部１１８の第一凹面１２２Ａの最も窪んだ点１３６Ａと辺縁１２０Ｓとの間の距離Ｄ５が、第二凹面１２２Ｂの最も窪んだ点１３６Ｂと辺縁１２０Ｓとの間の距離Ｄ６より大きいのは、接続部１１８の第一側Ｓ１の部分の面積が、接続部１１８の第二側Ｓ２の部分の面積より小さいことを意味する。よって、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００４２】
図３Ｄは、図３Ａ、図３Ｂおよび図３Ｃと同じ接続部１１８および同じ第一指状部１１６の部分を示す図である。接続部１１８と第一指状部１１６の部分とを図３Ｄ中で再現して、本発明の技術的特徴をさらに詳しく説明する。図３Ｄに示されるように、接続部１１８は、第一側Ｓ１で、第一凹面１２２Ａを接続する第一マージン(margin)１４０Ａ、および、第二側Ｓ２で、第二凹面１２２Ｂを接続する第二マージン１４０Ｂを有する。ゲートライン延伸方向Ａ１に対して、第一マージン１４０Ａの絶対的勾配値(absolute  slope  value)は、第二マージン１４０Ｂの絶対的勾配値と異なる。このほか、一実施態様において、第一マージン１４０Ａの絶対的勾配値は、第二マージン１４０Ｂの絶対的勾配値より小さい。この特徴は、大部分の液晶分子と異なるアラインメント方向を有する液晶分子の量をさらに減少させて、液晶効率を向上させると共に、ディスプレイ品質の輝度の不均一性を減少させることができる。
【００４３】
図３Ｄに示される実施態様において、接続部１１８の第一マージン１４０Ａとゲートライン延伸方向Ａ１との間の角θ3は９０度ではなく、第二マージン１４０Ｂとゲートライン延伸方向Ａ１との間の角θ4も９０度ではない。上述の第一マージン１４０Ａの絶対的勾配値、第二マージン１４０Ｂの絶対的勾配値、角θ3、および、角θ4は、第一マージン１４０Ａ、第二マージン１４０Ｂ、および、ゲートライン延伸方向Ａ１に平行な任意の線(たとえば、延伸線Ａ１Ｅ)により定義される。
【００４４】
特に、第一マージン１４０Ａの延伸線１４０ＡＥは、交点１４２Ａで、延伸線Ａ１Ｅと交差する。線１４４ＡＥは、方向Ａ２に平行で、且つ、延伸線１４０ＡＥ上の点１４４Ａを通過する線である。線１４４ＡＥは、交点１４６Ａで、延伸線Ａ１Ｅと交差する。交点１４６Ａと交点１４２Ａとの間の距離は距離Ｘ１であり、交点１４６Ａと点１４４Ａとの間の距離は距離Ｙ１である。ゲートライン延伸方向Ａ１に対する第一マージン１４０Ａの上述の絶対的勾配値は、距離Ｙ１を距離Ｘ１で除算すること(すなわち、Ｙ１/Ｘ１)によって導出される値である。
【００４５】
同様に、第二マージン１４０Ｂの延伸線１４０ＢＥは、交点１４２Ｂで、延伸線Ａ１Ｅと交差する。線１４４ＢＥは、方向Ａ２に平行で、且つ、延伸線１４０ＢＥ上の点１４４Ｂを通過する線である。線１４４ＢＥは、交点１４６Ｂで、延伸線Ａ１Ｅと交差する。交点１４６Ｂと交点１４２Ｂとの間の距離は距離Ｘ２であり、交点１４６Ｂと点１４４Ｂとの間の距離は距離Ｙ２である。ゲートライン延伸方向Ａ１に対する第二マージン１４０Ｂの上述の絶対的勾配値は、距離Ｙ２を距離Ｘ２で除算すること(すなわち、Ｙ２/Ｘ２)によって導出される値である。
【００４６】
このほか、角θ3は、第一マージン１４０Ａ(または、その延伸線１４０ＡＥ)とゲートライン延伸方向Ａ１との間の鋭角である。角θ4は、第二マージン１４０Ｂ(または、その延伸線１４０ＢＥ)とゲートライン延伸方向Ａ１との間の鋭角である。接続部１１８の第一マージン１４０Ａの絶対的勾配値が第二マージン１４０Ｂの絶対的勾配値よりも小さいので、角θ4は角θ3より大きい。
【００４７】
図３Ｄに示されるように、接続部１１８の第一マージン１４０Ａの絶対的勾配値が第二マージン１４０Ｂの絶対的勾配値より小さい(または、角θ4が角θ3より大きい)のは、接続部１１８の第一側Ｓ１の部分の面積が、接続部１１８の第二側Ｓ２の部分の面積より小さいことを意味する。よって、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００４８】
このほか、図３Ｄをさらに参照すると、第一マージン１４０Ａの長さＬ３(すなわち、図３Ｄ中の参照記号Ｌ３に示される太線の長さ)は、第二マージン１４０Ｂの長さＬ４(すなわち、図３Ｄ中の参照記号Ｌ４で示される太線の長さ)より短くなることがあり、これは、接続部１１８の第一側Ｓ１の部分の面積が、接続部１１８の第二側Ｓ２の部分の面積より小さいことを意味する。よって、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００４９】
次に、さらに、図３Ｄを参照すると、第一電極１０６(この実施態様中で、コモン電極の機能を果たす)の開口１２０は、第一側Ｓ１で第一側辺縁１４８Ａを、第二側Ｓ２で第二側辺縁１４８Ｂを有する。第二電極１０８(この実施態様中で、画素電極の機能を果たす)の接続部１１８は、第一側辺縁１４８Ａの外側(すなわち、図３Ｄ中の参照記号１４８Ａにより示される太線の外側)に、第一領域１５０Ａを有する。接続部１１８は、第二側辺縁１４８Ｂの外側(すなわち、図３Ｄ中の参照記号１４８Ｂにより示される太線の外側)に、第二領域１５０Ｂを有する。第一領域１５０Ａは、第二領域１５０Ｂより小さい面積を有する。
【００５０】
特に、開口１２０と重ならない接続部１１８の部分は、二つの部分に分割される場合がある。第一側Ｓ１に隣接する部分は、開口１２０の第一側辺縁１４８Ａの外側に位置し、第一領域１５０Ａと称される(図の左側により近い)。第二側Ｓ２に隣接する部分は、開口１２０の第二側辺縁１４８Ｂの外側に位置し、第二領域１５０Ｂと称される(図の右側により近い)。
【００５１】
図３Ｄに示されるように、第一側Ｓ１により近い接続部１１８の第一領域１５０Ａは、第二側Ｓ２により近い第二領域１５０Ｂより小さい面積を有するので、大部分の液晶分子と異なるアラインメント方向を有する液晶分子の量が減少して、液晶効率とイメージ表示時のディスプレイパネルの輝度とを向上させると共に、輝度の不均一性を減少させて、ディスプレイ品質を改善することができる。
【００５２】
このほか、上記の説明は、画素電極が指状部分を１つだけ有する実施態様を専ら示しているが、画素電極は、図４の実施態様に示されるように、二つ以上の指状部分を有してもよい。注意すべきことは、図１Ａ-図３Ｄに示された例示的な実施態様は、単に説明を目的としていることであり、本発明の概念は、こうした実施態様に限定されることなく各種形式で具現化されてよい。
【００５３】
図４は、本発明の別の実施態様によるアレイ基板の画素電極の上面図である。図４に示されるように、画素電極の機能を果たす第二電極１０８は、第一指状部１１６に実質的に平行な第二指状部１５２、および、第一指状部１１６と第二指状部１５２との間に配設される傾斜スリット１５４をさらに有する。二つの指状部分を有する第二電極１０８は、液晶効率とイメージ表示時のディスプレイパネルの輝度とをさらに向上させることができる。
【００５４】
このほか、上記の説明は、第一電極がコモン電極で、第二電極が画素電極である実施態様を専ら説明しているが、当業者なら理解できるように、第一電極は画素電極で、第二電極はコモン電極であってもよい。つまり、アレイ基板において、画素電極は基板上に配設され、コモン電極は画素電極上に配設されてもよい。
【００５５】
このほか、本発明は、さらに、図５に示されるように、上述のアレイ基板１００を含むディスプレイ装置２００を提供する。図５のディスプレイ装置２００は、本発明のアレイ基板１００、アレイ基板１００に対向して配設される対向基板２０２、および、アレイ基板１００と対向基板２０２との間に配設されるディスプレイ媒体２０４を有する。
【００５６】
対向基板２０２は、カラーフィルター基板、透明基板、または、その他の適当な基板であってよい。カラーフィルター基板は、透明基板、および、透明基板上に配設されるカラーフィルター層を有してよい。透明基板は、これに限定されないが、ガラス基板、セラミック基板、プラスチック基板、または、その他の適当な透明基板を含んでよい。
【００５７】
ディスプレイ媒体２０４は液晶材料であってよい。液晶材料は、これに限定されないが、ネマティック液晶、スメクティック液晶、コレステリック液晶、ブルー相液晶、または、その他の適当な液晶材料を含んでよい。
【００５８】
ディスプレイ装置２００は、これに限定されないが、液晶ディスプレイ、たとえば、薄膜トランジスタ液晶ディスプレイを含んでよい。または、液晶ディスプレイは、これに限定されないが、ねじれネマティック(ＴＮ)液晶ディスプレイ、超ねじれネマティック(ＳＴＮ)液晶ディスプレイ、ダブルレイヤー超ねじれネマティック(ＤＳＴＮ)液晶ディスプレイ、垂直配向(ＶＡ)液晶ディスプレイ、面内切替(ＩＰＳ)液晶ディスプレイ、コレステリック液晶ディスプレイ、ブルー相液晶ディスプレイ、または、その他の適当な液晶ディスプレイを含んでよい。
【００５９】
総合すると、本発明の実施態様は、特定側において画素電極の凹面を拡大して、この側の接続部の部分の面積を実質的に低減させて、この特定側において大部分の液晶分子と異なるアラインメント方向を有する液晶分子の量を減少させる。よって、液晶効率を向上させることができ、このことが、イメージを表示するとき、ディスプレイパネルの輝度を向上させ、暗い線と明るい線が低減されて、ディスプレイ品質を改善することができる。
【００６０】
本発明のいくつかの実施態様とその利点とを詳細に説明したが、別記の特許請求の範囲により定められるとおりの本発明の主旨及び範囲から逸脱することなく、様々な変更、代替および変形がなされ得ることが理解されるべきである。例えば、本明細書において説明された特徴、機能、プロセスおよび材料の多くが本発明の範囲内にとどまりながら変えられ得ることを、当業者は容易に理解するであろう。さらに、本出願の範囲が、本明細書において説明された事項、手段、方法およびステップに係るプロセス、マシン、製造物、組成物の特定の実施形態に限定されることは意図されない。当業者が本発明の開示から容易に十分理解するとき、本明細書に説明された対応する実施形態と実質的に同じ機能を実行し、あるいは実質的に同じ効果を達成する事項、手段、方法またはステップに係るプロセス、マシン、製造物、組成物が、現在存在するものでも後に開発されるものでも、本発明に従って利用されてよい。したがって、別記の特許請求の範囲は、その範囲内に、こうした事項、手段、方法またはステップに係るプロセス、マシン、製造物、組成物を含むことが意図される。
【符号の説明】
【００６１】
１００  アレイ基板
１０２  サブピクセル
１０４  基板
１０６  第一電極
１０８  第二電極
１１０  データライン
１１２  ゲートライン
１１４  絶縁層
１１６  第一指状部
１１６Ｅ１  第一外縁
１１６Ｅ２  第二外縁
１１８  接続部
１２０  開口
１２０Ｓ  辺縁
１２０Ｅ  延伸線
１２２Ａ  第一凹面
１２２Ｂ  第二凹面
１２４Ａ  第一端点
１２４ＡＥ  延伸線
１２４Ｂ  第二端点
１２４ＢＥ  延伸線
１２６Ｔ  上部
１２６Ｂ  下部
１２８Ａ  第一線分
１２８Ｂ  第二線分
１２８  線分
１３０  曲率の中心
１３２  曲率の中心
１３４Ａ  第一変曲点
１３４ＡＥ  延伸線
１３４Ｂ  第二変曲点
１３４ＢＥ  延伸線
１３６Ａ  最も窪んだ点
１３６ＡＥ  延伸線
１３６Ｂ  最も窪んだ点
１３６ＢＥ  延伸線
１３８Ａ  線分
１３８Ｂ  線分
１３９Ａ  上端点
１３９Ｂ  上端点
１４０Ａ  第一マージン
１４０ＡＥ  延伸線
１４０Ｂ  第二マージン
１４０ＢＥ  延伸線
１４２Ａ  交点
１４２Ｂ  交点
１４４Ａ  点
１４４ＡＥ  線分
１４４Ｂ  点
１４４ＢＥ  線分
１４６Ａ  交点
１４６Ｂ  交点
１４８Ａ  第一側辺縁
１４８Ｂ  第二側辺縁
１５０Ａ  第一領域
１５０Ｂ  第二領域
１５２  第二指状部
１５４  傾斜スリット
２００  ディスプレイ装置
２０２  対向基板
２０４  ディスプレイ媒体
３００  領域
Ａ１Ｅ  延伸線
θ１  角度
θ２  角度
θ３  角度
θ４  角度
Ｘ１  距離
Ｘ２  距離
Ｙ１  距離
Ｙ２  距離
Ｄ１  距離
Ｄ２  距離
Ｄ３  距離
Ｄ４  距離
Ｄ５  距離
Ｄ６  距離
Ｌ１  辺の長さ
Ｌ２  辺の長さ
Ｌ３  長さ
Ｌ４  長さ
Ｗ１  第一幅
Ｗ２  第二幅
Ｓ１  第一側
Ｓ２  第二側
Ｓ３  外側
Ｓ４  内側
Ｖ  スルーホール
１Ｂ-１Ｂ  線分
Ａ１  ゲートライン延伸方向
Ａ２  ゲートライン延伸方向に垂直な方向
【図１Ａ】
0005972439.tif 000002
【図１Ｂ】
0005972439.tif 000003
【図２】
0005972439.tif 000004
【図３Ａ】
0005972439.tif 000005
【図３Ｂ】
0005972439.tif 000006
【図３Ｃ】
0005972439.tif 000007
【図３Ｄ】
0005972439.tif 000008
【図４】
0005972439.tif 000009
【図５】
0005972439.tif 000010